(57)【特許請求の範囲】
【請求項１】
伸縮且つ折り畳み自在のシート体よりなるクッキングシートにおいて、
前記シート体自体に形成され、少なくともその外周の一部が帯部を構成する開口を備え、
前記シート体は、折り畳んだ状態で円柱体となるように丸めることが可能であり、
前記開口は、前記円柱体の軸方向における中央断面に対応した形状を有し、前記帯部は前記丸められた前記シート体に掛け渡されることを特徴とする、クッキングシート。
【請求項２】
前記シート体は折り畳み可能な複数の折り畳み部分から構成され、
前記開口は、前記折り畳み部分の一に形成され、前記帯部は前記折り畳み部分の一における折り畳み方向の両端部に接続される、請求項１記載のクッキングシート。
【請求項３】
前記折り畳み部分の一は、前記折り畳み方向に対して直交する方向において前記折り畳み部分の他より突き出た突出部を有し、
前記開口は、前記突出部に形成される、請求項２記載のクッキングシート。
【請求項４】
前記シート体は、矩形形状を有し、
前記折り畳み部分の一における、前記折り畳み方向に平行な外縁が前記帯部を構成する、請求項２記載のクッキングシート。
【発明の詳細な説明】
【技術分野】
【０００１】
この発明はクッキングシートに関し、特に台所等で用いる繰り返し使用可能なクッキングシートに関するものである。
【背景技術】
【０００２】
加熱調理に用いられるクッキングシートは、紙やシリコーン加工された紙で製造されるものが一般的であるが、このようなクッキングシートは使い捨てのものであるため、コスト的な面及び環境的な面において問題があった。そこで、特許文献１に示されているような、洗って繰り返し使用可能なクッキングシートが提案されている。
【０００３】
図７は、このようなクッキングシートの外観形状を示した平面図である。
【０００４】
図を参照して、クッキングシート６１は、耐熱性を有するシリコーンゴム又はシリコーン樹脂を射出成形した１枚のシート体７０よりなり、平面視略矩形形状を有する。尚、シリコーンゴム及びシリコーン樹脂は破れにくいため、クッキングシート６１は洗って反復して使用することができる。
使用に当たっては、オーブンや電子レンジの天板の上にクッキングシート６１を敷き、その上に食材を載せた状態で加熱調理を行う。尚、クッキングシート６１のシート表面７１の外縁全周には、凸条７３が形成されており、調理時に食材から流出する肉汁や野菜汁等がクッキングシート６１よりあふれ出るのを防止している。
【先行技術文献】
【特許文献】
【０００５】
【特許文献１】特開２００９−１１９１２８号公報
【発明の概要】
【発明が解決しようとする課題】
【０００６】
上記のような従来のクッキングシートでは、オーブンの天板のサイズほどの大きさがある。そこで収納のために折り畳んだり丸めたりしても、その状態を保持することができないため、使用後の収納時に嵩張って不便であった。
【０００７】
この発明は、上記のような課題を解決するためになされたもので、シート体を折り畳んで丸めた状態を保持して、収納が容易となるクッキングシートを提供することを目的とする。
【課題を解決するための手段】
【０００８】
上記の目的を達成するために、請求項１記載の発明は、伸縮且つ折り畳み自在のシート体よりなるクッキングシートにおいて、シート体自体に形成され、少なくともその外周の一部が帯部を構成する開口を備え、シート体は、折り畳んだ状態で円柱体となるように丸めることが可能であり、開口は、円柱体の軸方向における中央断面に対応した形状を有し、帯部は丸められたシート体に掛け渡されることを特徴とするものである。
【０００９】
このように構成すると、帯部に向かって折り畳んで丸められたシート体に帯部を掛け渡すことが可能となる。
【００１０】
請求項２記載の発明は、請求項１記載の発明の構成において、シート体は折り畳み可能な複数の折り畳み部分から構成され、開口は、折り畳み部分の一に形成され、帯部は折り畳み部分の一における折り畳み方向の両端部に接続されるものである。
【００１１】
このように構成すると、折り畳み、丸められたシート体の軸方向に帯部が対応する。
【００１２】
請求項３記載の発明は、請求項２記載の発明の構成において、折り畳み部分の一は、折り畳み方向に対して直交する方向において折り畳み部分の他より突き出た突出部を有し、開口は、突出部に形成されるものである。
【００１３】
このように構成すると、シート体の折り畳み、及び丸める動作が容易となる。
【００１４】
請求項４記載の発明は、請求項２記載の発明の構成において、シート体は、矩形形状を有し、折り畳み部分の一における、折り畳み方向に平行な外縁が帯部を構成するものである。
【００１５】
このように構成すると、シート体において帯部が外方に突出しない。
【発明の効果】
【００１８】
以上説明したように、請求項１記載の発明は、帯部に向かって折り畳んで丸められたシート体に帯部を掛け渡すことが可能となるので、シート体の折り畳まれて丸められた状態が保持され、収納が容易となる。
【００１９】
請求項２記載の発明は、請求項１記載の発明の効果に加えて、折り畳み、丸められたシート体の軸方向に帯部が対応するので、帯部のシート体への掛け渡しが容易となる。
【００２０】
請求項３記載の発明は、請求項２記載の発明の効果に加えて、シート体の折り畳み、及び丸める動作が容易となるので、シート体の収納処理が容易となる。
【００２１】
請求項４記載の発明は、請求項２記載の発明の効果に加えて、シート体において帯部が外方に突出しないので、シート体の使用状態が安定する。
【図面の簡単な説明】
【００２３】
【図１】この発明の第１の実施の形態によるクッキングシートの外観形状を示した平面図である。
【図２】図１で示したクッキングシートの収納処理過程を示した模式図である。
【図３】図２で示したクッキングシートのシート体に帯部を掛け渡す前後の様子を示した斜視図である。
【図４】この発明の第２の実施の形態によるクッキングシートの外観形状を示した平面図である。
【図５】この発明の第３の実施の形態によるクッキングシートの外観形状を示した平面図である。
【図６】この発明の第４の実施の形態によるクッキングシートの外観形状を示した平面図である。
【図７】従来のクッキングシートの外観形状を示した平面図である。
【発明を実施するための形態】
【００２４】
図１は、この発明の第１の実施の形態によるクッキングシートの外観形状を示した平面図である。
【００２５】
図を参照して、クッキングシート１は、耐熱性を有するガラス繊維又はシリコーンゴムによって形成された、伸縮且つ折り畳み自在のシート体１０よりなる。尚、シリコーンゴムを素材とする場合、シート体１０はプレス成形で形成できるため、シート体１０の製造が容易である。
【００２６】
ガラス繊維及びシリコーンゴムは破れにくいため、クッキングシート１は洗って反復して使用することができる。シート体１０が伸縮且つ折り畳み自在であることによる効果は後述する。
【００２７】
シート体１０は、平面視略矩形形状であってその外周の一部から突出部１４が突き出た形状を有する。突出部１４には開口１６が形成されており、シート体１０の外周の一部に帯部１７を構成するものとなっている。尚、突出部１４が突き出る方向をシート体１０の縦方向とし、この縦方向の長さをＬ１とする。又、シート体１０の横方向の長さをＬ２とする。
【００２８】
使用に当たっては、オーブンや電子レンジの天板の上にクッキングシート１を広げて敷き、シート体１０の上に食材を載せた状態で加熱調理を行う。
【００２９】
図２は、図１で示したクッキングシートの収納処理過程を示した模式図である。
【００３０】
まず、図２の（１）を参照して、クッキングシート１のシート体１０は、折り畳み部分１２ａ、１２ｂ及び１２ｃから構成される。折り畳み部分１２ａ、１２ｂ及び１２ｃの各々は、シート体１０を縦方向にてほぼ３分割したものの１よりなる。
【００３１】
このように構成すると、シート体１０は折り畳み自在であるため、三つ折りに折り畳むことができる。
【００３２】
尚、突出部１４の帯部１７は、折り畳み部分１２ｃの折り畳み方向の両端部に接続されているが、この効果については後述する。
【００３３】
収納時にはこのシート体１０を、まず折り畳み部分１２ａが折り畳み部分１２ｂに重なるようにし、次に折り畳み部分１２ａと１２ｂとが重なったものが折り畳み部分１２ｃに重なるようにする。すなわち、図の二点鎖線で示した折り畳み位置にて折り曲げて、図の矢印で示した折り畳み方向に三つ折りに折り畳んでいく。
【００３４】
次に、図２の（２）を参照して、三つ折りにしたシート体１０を、突出部１４が突き出ていない側の端部から、帯部１７に向かって、図の矢印で示した方向に丸めていく。
【００３５】
更に、図２の（３）を参照して、丸めたシート体１０に帯部１７を図の矢印で示した方向に動かし、図において二点鎖線で図示した位置に掛け渡す。尚、上述した通り、帯部１７は、折り畳み部分１２ｃの折り畳み方向の両端部に接続されているため、丸められたシート体１０の軸方向に帯部１７が対応し、帯部１７のシート体１０への掛け渡しが容易となっている。
【００３６】
このようにすると、帯部１７の掛け渡しによりシート体１０の丸められた状態が保持され、クッキングシート１の引出し等への収納が容易となる。
【００３７】
又、帯部１７はシート体１０の一部が突き出て形成されているので、シート体１０の折り畳み及び丸める動作に影響せず、シート体１０の収納処理が容易となる。
【００３８】
図３は、図２で示したクッキングシートのシート体に帯部を掛け渡す前後の様子を示した斜視図である。
【００３９】
まず、図３の（１）を参照して、帯部１７に向かって丸められたシート体１０が、円柱体となって開口１６のシート体１０の側の端部付近まで移動している。尚、開口１６は、円柱体のシート体１０の軸方向における中央断面に対応した形状を有するように構成されている。
【００４０】
このように構成すると、帯部１７は少なくとも円柱体のシート体１０の軸方向長さにほぼ一致するため、帯部１７のシート体１０への掛け渡しが容易となり、その状態が安定する。
【００４１】
尚、開口１６の具体的な寸法については後述する。
【００４２】
次に、図３の（２）を参照して、帯部１７が、シート体１０の軸方向に掛け渡されている状態が示されている。この円柱体のシート体１０の直径をＤと、軸方向長さをＷとし、シート体１０の厚みをＴ、折り畳んだシート体１０の層数をＮとする。尚、図１の説明にて記述したように、シート体１０の縦方向長さはＬ１と、シート体１０の横方向長さはＬ２である。
【００４３】
これらを用いて、シート体１０の直径Ｄを、シート体１０がきっちりと丸まらなかった場合の誤差も考慮して表すと
Ｄ＝√（４×Ｔ×Ｎ×Ｌ１／π）＋２
となる。
【００４４】
シート体１０の軸方向長さＷは、
Ｗ＝Ｌ２／Ｎ
となる。
【００４５】
すると上述したように、開口１６は円柱体のシート体１０の軸方向における中央断面に対応した形状を有するように構成されているから、シート体１０の縦方向側の開口１６の端部の一辺の長さＸは直径Ｄに対応する長さに、シート体１０の横方向側の開口１６の端部の一辺の長さＹは軸方向長さＷに対応する長さに、それぞれなる。
【００４６】
よって、開口１６を構成する辺のうち、シート体１０に掛け渡される３辺の長さの合計をＡとすると、
Ａ＝Ｘ×２＋Ｙ≒Ｄ×２＋Ｗ
となる。
【００４７】
尚、帯部１７は伸縮性を有するので対応する直径Ｄ、及び軸方向長さＷとの差を考慮すると、３辺の長さの合計Ａは、
（Ｄ×２＋Ｗ）−１００ｍｍ＜Ａ＜（Ｄ×２＋Ｗ）＋５０ｍｍ
の範囲に定められていると、帯部１７のシート体１０への掛け渡しが容易となり、且つ掛け渡し状態の安定も容易となるため好ましい。尚、より好ましくは、
（Ｄ×２＋Ｗ）−８０ｍｍ＜Ａ＜（Ｄ×２＋Ｗ）＋３０ｍｍ
更に好ましくは、
（Ｄ×２＋Ｗ）−６０ｍｍ＜Ａ＜（Ｄ×２＋Ｗ）＋２０ｍｍ
の範囲に定められていると良い。
【００４８】
又、帯部１７の厚みは、０．５ｍｍ以上５ｍｍ以下、より好ましくは０．８ｍｍ以上４ｍｍ以下、更に好ましくは１ｍｍ以上３ｍｍ以下の範囲に定められていると、シート体１０への掛け渡し観点から好ましい。すなわち、掛け渡す際に大きな力を必要とせず、また、帯部１７が大きく伸びても、クラックが入り難く好ましい。
【００４９】
尚、帯部１７は、壁等に設けられたフック等に引っ掛けて、クッキングシート１を吊るすのに用いることもできる。
【００５０】
図４は、この発明の第２の実施の形態によるクッキングシートの外観形状を示した平面図である。
【００５１】
図を参照して、クッキングシート１は、帯部１７の接続位置が折り畳み部分１２ｂの折り畳み方向の両端部となり、突出部１４の突出位置がシート体１０の縦方向の中心付近になっている点において、先の第１の実施の形態によるクッキングシートと異なる。尚、他の部分は先の第１の実施の形態によるものと同一であるため、ここでの説明は繰り返さない。
【００５２】
このように構成すると、折り畳み位置が分かり易いため、折り畳み部分１２ａ、１２ｂ、１２ｃの各々を中央に向けて折り重ね易くなり、クッキングシート１の使い勝手が向上する。
【００５３】
又、クッキングシート１を吊るして収納する場合に、クッキングシート１の左右のバランスが良いものとなる。
【００５４】
図５は、この発明の第３の実施の形態によるクッキングシートの外観形状を示した平面図である。
【００５５】
図を参照して、クッキングシート１は、３つの折り畳み部分１２ａ、１２ｂ、１２ｃから構成される平面視略矩形形状のシート体１０よりなる。折り畳み部分１２ｃには、折り畳み方向に平行な外縁が帯部１７を構成するように、開口１６が形成されている。尚、この第３の実施の形態のように、開口１６がシート体１０の突出した部分に形成されない場合においては、シート体１０の折り畳み方向に平行な外縁の片方から他方までの距離をシート体１０の縦方向の長さＬ１とし、開口１６の寸法はこれに対応したものに設定される。
【００５６】
このように構成すると、シート体１０において帯部１７が外方に突出しないため、シート体１０の使用状態が安定する。
【００５７】
図６は、この発明の第４の実施の形態によるクッキングシートの外観形状を示した平面図である。
【００５８】
図を参照して、クッキングシート１は、開口１６が折り畳み部分１２ｂに形成され、帯部１７の位置がシート体１０の縦方向の中心付近になっている点において、先の第３の実施の形態によるクッキングシートと異なる。尚、他の部分は先の第３の実施の形態によるものと同一であるため、ここでの説明は繰り返さない。
【００５９】
このように構成すると、シート体１０において帯部１７が外方に突出しないため、シート体１０の使用状態が安定すると共に、折り畳み位置が分かり易いため、折り畳み部分１２ａ、１２ｂ、１２ｃの各々を中央に向けて折り重ね易くなり、クッキングシート１の使い勝手が向上する。
【００６０】
又、クッキングシート１を吊るして収納する場合に、クッキングシート１の左右のバランスが良いものとなる。
【００６１】
尚、上記の各実施の形態では、シート体は円柱体になるように丸めることができるとされていたが、折り畳み自在であれば良い。
【００６２】
又、上記の各実施の形態では、シート体は３つの折り畳み部分から構成されていたが、複数の折り畳み部分から構成されていれば良い。又、帯部がシート体の両端部に接続され、開口がシート体の一辺に対応するものとなっていれば、シート体は折り畳まず単に丸めるのみのものであっても良い。
【００６３】
更に、上記の各実施の形態では、開口は一つだけ形成されていたが、複数形成されていても良い。
【００６４】
更に、上記の各実施の形態では、開口は円柱体となったシート体の軸方向における中央断面に対応した形状を有するが、帯部をシート体に掛け渡せる形状であれば他の形状であっても良い。
【００６５】
更に、上記の各実施の形態では、シート体に掛け渡される開口の３辺の長さの合計Ａを特定範囲において設定するのが好ましいとしていたが、シート体の特性等に応じてこの範囲に含まれない寸法に設定されても良い。
【００６６】
更に、上記の各実施の形態では、帯部の厚みを特定範囲において設定するのが好ましいとしていたが、この範囲に含まれない寸法に設定されても良い。
【００６７】
更に、上記の各実施の形態では、シート体は略矩形形状とされていたが、矩形形状にはこのような角が丸くなっているものも含む。
【００６８】
更に、上記の各実施の形態では、シート体は略矩形形状を有していたが、円形状など、他の形状であっても良い。
【００６９】
更に、上記の各実施の形態では、シート体はシリコーンゴム又はガラス繊維によって形成されるとしていたが、それ以外の素材により形成されていても良い。
【００７０】
更に、上記の各実施の形態では、素材をシリコーンゴムとする場合、シート体はプレス成形にて製造されるとしていたが、射出成形、トランスファー成形等の、他の方法により製造しても良い。
【００７１】
更に、上記の各実施の形態では、シート体は、その外縁に凸条が形成されていないものであったが、凸条が形成されているものであっても良い。
【符号の説明】
【００７２】
１…クッキングシート
１０…シート体
１２ａ、１２ｂ、１２ｃ…折り畳み部分
１４…突出部
１６…開口
１７…帯部
尚、各図中同一符号は同一又は相当部分を示す。
【図１】
0005606131.tif 000002
【図２】
0005606131.tif 000003
【図３】
0005606131.tif 000004
【図４】
0005606131.tif 000005
【図５】
0005606131.tif 000006
【図６】
0005606131.tif 000007
【図７】
0005606131.tif 000008